(57)【特許請求の範囲】
【請求項１】
容器内の水を電気分解して酸性またはアルカリ性の電解水を作成する電解水生成装置において、
中空棒状体の内部を隔膜で仕切って二つの槽を形成し、前記各槽に電極をそれぞれ配置してなり、一方の槽の底部側に槽側への流れを可能とする逆止弁を設け、かつ、他方の槽の側面に外部と連通する長孔を設けてなる電極部と、
直流電源からの電力を取り込み前記両電極部へ流す電流量を調整できる制御部と
を備えたことを特徴とする空ボトル用電解水生成装置。
【請求項２】
請求項１記載の空ボトル用電解水生成装置において、
前記電極部は、中空棒状体の内部を二つの隔膜を所定間隔を配置することにより仕切って三つの槽を形成し、前記中央の槽を電解質槽とし、他の二つの槽に電極をそれぞれ配置してなることを特徴とする空ボトル用電解水生成装置。
【請求項３】
請求項１記載の空ボトル用電解水生成装置において、
前記電極部は、半径が異なる二つの導電性中空円筒を同心状に配置し、内側の中空円柱と外側の中空円筒の間に中空円筒状の隔壁を同心状に配置することにより隔壁内外に二つの槽を形成し、内側の槽の底部側に槽側への流れを可能とする逆止弁を設け、かつ、外側中空円筒に外部と連通する多数の孔を設けてなることを特徴とする空ボトル用電解水生成装置。
【請求項４】
請求項１に係る空ボトル用電解水生成装置において、
前記電極部は、半径が異なる二つの導電性中空円筒を同心状に配置し、内側の中空円柱と外側の中空円筒の間に所定の間隔を有する二つの中空円筒状の隔壁を同心状に配置することにより隔壁内外に二つの槽と二つの隔壁に囲まれた槽とを形成し、最も内側の槽の底部側に槽側への流れを可能とする逆止弁を設け、かつ、外側中空円筒に外部と連通する多数の孔を設けてなることを特徴とする空ボトル用電解水生成装置。
【請求項５】
容器内の水を電気分解して酸性またはアルカリ性の電解水を作成する生成装置において、
中空棒状体の内部を隔膜で仕切って二つの槽を形成し、前記各槽に電極をそれぞれ配置してなり、一方の槽の電極と隔膜の間に高分子化合物からなる溶液吸収体を配置し、前記中空棒状体の側面上部又は上面に一方の槽の内部と連通する孔を設け、かつ、他方の槽に外部と連通する孔を設けてなる電極部と、直流電源からの電力を取り込み、前記両電極部へ流す電流量又は電圧量を調整できる制御部とを備えたことを特徴とする空ボトル用電解水生成装置。
【請求項６】
請求項５記載の空ボトル用電解水生成装置において、
前記電極部は、中空棒状体の内部を二つの隔膜を所定間隔で配置することによって仕切り、三つの槽を形成し、前記中央の槽を電解質槽とし、前記電解質槽に連通する孔を前記中空棒状体の側面上部又は上面に設け、他の二つの槽に電極をそれぞれ配置してなり、前記一方の槽の前記中空棒状体の側面上部又は上面に前記一方の槽の内部に連通する孔を設け、かつ、他方の槽に外部と連通する孔を設けてなることを特徴とする空ボトル用電解水生成装置。
【請求項７】
請求項５記載の空ボトル用電解水生成装置において、
前記電極部は、中空棒状体の内部を二つの隔膜を所定間隔で配置することによって仕切り、三つの槽を形成し、前記中央の槽を電解質槽とし、前記電解質槽に高分子化合物からなる溶液吸収体を配置し、前記中央の槽の内部に連通する孔を前記中空棒状体の側面上部又は上面に設け、他の二つの槽に電極をそれぞれ配置してなり、前記中空棒状体の側面上部又は上面に前記一方の槽の内部に連通する孔を設け、かつ、他方の槽に外部と連通する孔を設けてなることを特徴とする空ボトル用電解水生成装置。
【請求項８】
請求項１乃至４記載の空ボトル用電解水生成装置を用いて電解水を製造する方法であって、
空ボトル等の容器に、原水又は原水に電離性物質を溶解させた溶液をたし、所定の電気伝導値に調整し、中空棒状体の電解槽を前記容器に投入し、所定の電流電圧を印加して、前記容器、所望の酸性水又はアルカリ性水のみを生成することを特徴とする空ボトル用電解水の製造方法。
【請求項９】
請求項５記載の空ボトル用電解水生成装置を用いて電解水を製造する方法であって、
空ボトル等の容器に、原水を満たし、中空棒状体の電解槽の一方に、電離性物質又は電離性物質を溶解させて所定の電気伝導度に調整された溶液または電離性物質を溶解させて所定の電気伝導度に調整された溶液とこの溶液を吸収させる溶液吸収体とを入れ、前記容器に投入し、所定の電流電圧を印加して、前記容器に、所望の酸性性水又はアルカリ性水のみを生成することを特徴とする空ボトル用電解水の製造方法。
【発明の詳細な説明】
【０００１】
【発明の属する技術分野】
本発明は、容器内の水を電気分解して酸性またはアルカリ性の電解水を作成する電解水生成装置に関する。さらに詳細には、本発明は、電極部を容器内に入れ、当該電極部に電流を流して容器内の水を電気分解することにより容器内部に電解水を製造することができるようにした空ボトル用電解水生成装置と、その装置を使用して電解水を製造する方法に関する。
【０００２】
【従来の技術】
従来、この種の電解水生成装置は、水に少量の塩素系電解物質を混入し、当該水を電気分解することにより、酸性またはアルカリ性の電解水を生成できる装置として知られている。
このような電解水生成装置は、容器内を隔膜で仕切ることにより陽極槽と陰極槽とを形成し、陽極槽に陽極板を配置するとともに陰極槽に陰極板を配置し、陽極槽及び陰極槽に電解物質を少量溶かした水を供給し、前記陽極と陰極に直流を流し込むことにより、陽極槽から酸性の電解水を、また、陰極槽からアルカリ性の電解水を得ることができるようにした装置である（特開２０００−２４６２４９号公報）。
このような従来の電解水生成装置によれば、電解条件にもよるが、水素イオン濃度が２．０〜３．５の酸性電解水を、水素イオン濃度が１０．５〜１２．０のアルカリ性電解水を得ることができる。
【０００３】
【発明が解決しようとする課題】
しかしながら、上述した従来の電解水生成装置によれば、基本的に可搬型に構成されていないため、どこでも手軽に電解水を手に入れることができないという欠点があった。
また、上述した従来の電解水生成装置は、装置が大型化しており、部品点数が多く、かつ、高価であるという欠点があった。
さらに、上述した従来の電解水生成装置は、電解水を得るために、複雑な操作や制御が必要となるという欠点があった。
本発明は、上述した欠点に鑑みなされたものであり、場所を選ばず、携帯可能に、かつ、手頃に使用できる空ボトル用電解水生成装置及びその方法を提供することを目的としている。
【０００４】
【課題を解決するための手段】
上記目的を達成するために、請求項１記載の発明に係る空ボトル用電解水生成装置は、容器内の水を電気分解して酸性またはアルカリ性の電解水を作成する電解水生成装置において、中空棒状体の内部を隔膜で仕切って二つの槽を形成し、前記各槽に電極をそれぞれ配置してなり、一方の槽の底部側に槽側への流れを可能とする逆止弁を設け、かつ、他方の槽の側面に外部と連通する長孔を設けてなる電極部と、直流電源からの電力を取り込み前記両電極部へ流す電流量を調整できる制御部とを備えたことを特徴とするものである。
請求項２記載に係る発明では、請求項１に係る空ボトル用電解水生成装置において、前記電極部は、中空棒状体の内部を二つの隔膜を所定間隔を配置することにより仕切って三つの槽を形成し、前記中央の槽を電解質槽とし、他の二つの槽に電極をそれぞれ配置してなることを特徴とする。
請求項３記載に係る発明では、請求項１に係る空ボトル用電解水生成装置において、前記電極部は、半径が異なる二つの導電性中空円筒を同心状に配置し、内側の中空円柱と外側の中空円筒の間に中空円筒状の隔壁を同心状に配置することにより隔壁内外に二つの槽を形成し、内側の槽の底部側に槽側への流れを可能とする逆止弁を設け、かつ、外側中空円筒に外部と連通する多数の孔を設けてなることを特徴とするものである。
請求項４記載に係る発明では、請求項１に係る空ボトル用電解水生成装置において、前記電極部は、半径が異なる二つの導電性中空円筒を同心状に配置し、内側の中空円柱と外側の中空円筒の間に所定の間隔を有する二つの中空円筒状の隔壁を同心状に配置することにより隔壁内外に二つの槽と二つの隔壁に囲まれた槽とを形成し、最も内側の槽の底部側に槽側への流れを可能とする逆止弁を設け、かつ、外側中空円筒に外部と連通する多数の孔を設けてなることを特徴とするものである。
【０００５】
上記目的を達成するために、請求項５記載の発明に係る空ボトル用電解水生成装置は、容器内の水を電気分解して酸性またはアルカリ性の電解水を作成する生成装置において、中空棒状体の内部を隔膜で仕切って二つの槽を形成し、前記各槽に電極をそれぞれ配置してなり、一方の槽の電極と隔膜の間に高分子化合物からなる溶液吸収体を配置し、前記中空棒状体の側面上部又は上面に一方の槽の内部と連通する孔を設け、かつ、他方の槽に外部と連通する孔を設けてなる電極部と、直流電源からの電力を取り込み、前記両電極部へ流す電流量又は電圧量を調整できる制御部とを備えたことを特徴とする。
請求項６に係る発明では、請求項５記載の空ボトル用電解水生成装置において、
前記電極部は、中空棒状体の内部を二つの隔膜を所定間隔で配置することによって仕切り、三つの槽を形成し、前記中央の槽を電解質槽とし、前記電解質槽に連通する孔を前記中空棒状体の側面上部又は上面に設け、他の二つの槽に電極をそれぞれ配置してなり、前記一方の槽の前記中空棒状体の側面上部又は上面に前記一方の槽の内部に連通する孔を設け、かつ、他方の槽に外部と連通する孔を設けてなることを特徴とする。
請求項７に係る発明では、請求項５記載の空ボトル用電解水生成装置において、前記電極部は、中空棒状体の内部を二つの隔膜を所定間隔で配置することによって仕切り、三つの槽を形成し、前記中央の槽を電解質槽とし、前記電解質槽に高分子化合物からなる溶液吸収体を配置し、前記中央の槽の内部に連通する孔を前記中空棒状体の側面上部又は上面に設け、他の二つの槽に電極をそれぞれ配置してなり、前記中空棒状体の側面上部又は上面に前記一方の槽の内部に連通する孔を設け、かつ、他方の槽に外部と連通する孔を設けてなることを特徴とする。
【０００６】
上記目的を達成するため、請求項８記載の発明係る空ボトル用電解水の製造方法は、請求項１乃至４記載の空ボトル用電解水生成装置を用いて電解水を製造する方法であって、空ボトル等の容器に、原水又は原水に電離性物質を溶解させた溶液をたし、所定の電気伝導値に調整し、中空棒状体の電解槽を前記容器に投入し、所定の電流電圧を印加して、前記容器、所望の酸性水又はアルカリ性水のみを生成することを特徴とする。
上記目的を達成するため請求項９記載の発明に係る空ボトル用電解水の製造方は、請求項５記載の空ボトル用電解水生成装置を用いて電解水を製造する方法であって、空ボトル等の容器に、原水を満たし、中空棒状体の電解槽の一方に、電離性物質又は電離性物質を溶解させて所定の電気伝導度に調整された溶液または電離性物質を溶解させて所定の電気伝導度に調整された溶液とこの溶液を吸収させる溶液吸収体とを入れ、前記容器に投入し、所定の電流電圧を印加して、前記容器に、所望の酸性性水又はアルカリ性水のみを生成することを特徴とする。
【０００７】
【発明の実施の形態】
以下、本発明の実施の形態について図面を参照して説明する。
（第１の実施の形態）
図１ないし図７は本発明の第１の実施の形態に係る空ボトル用電解水生成装置を説明するための図である。ここに、図１は本発明の第１の実施の形態に係る空ボトル用電解水生成装置の全体構成を示す斜視図である。図２は本発明の第１の実施の形態に係る空ボトル用電解水生成装置の電極部を示す正面図である。図３は本発明の第１の実施の形態に係る空ボトル用電解水生成装置の電極部であって、図２のＡ−Ａ線断面図である。図４は本発明の第１の実施の形態に係る空ボトル用電解水生成装置の電極部を示す分解斜視図である。
【０００８】
これらの図において、空ボトル用電解水生成装置１は、大別すると、電気分解をさせるための電極部３と、前記電極部３の上に設けられた制御部５と、前記制御部５に直流電力を供給する直流電源７とから構成されており、前記容器（図示せず）内に電極部３を挿入し当該容器内の水を前記電極部３で電気分解して酸性またはアルカリ性の電解水を作成する装置である。
【０００９】
前記電極部３は、図１ないし図３に示すように、中空円筒形状をした中空棒状体３１の内部を隔膜３２で仕切って二つの槽（陽極槽３３及び陰極槽３４）を形成し、前記各槽（陽極槽３３及び陰極槽３４）に電極（陽極）３５及び電極（陰極）３６をそれぞれ配置してなり、前記陰極槽（一方の槽）３４の底部側に槽側への流れを可能とする逆止弁３７を設け、かつ、前記陽極槽（他方の槽）３３の側面に外部と連通するスリット（長孔）３８を複数設けて構成したものである。
また、陽極槽３３の上部には、図１に示すように、塩素ガス抜き用スリット３９が設けられている。同様に、陰極槽３４の上部には、図１ないし図４に示すように、水素ガス抜き用孔４０が設けられている。
【００１０】
陽極槽３３の内部に配置される電極（陽極）３５及び陰極槽３４の内部に配置される電極（陰極）３６は、スペーサー４１により隔膜３２に対して一定の間隔を持たせた状態に支持されている。
また、電極部３の底部側に設けられた逆止弁３７は、図３及び図４に示すように、電極部３の外径と同一の外径の有底中空円柱で構成され弁座部４２と、当該弁座部４２に置かれる精密球４３とで構成されている。弁座部４２は、所定の厚みを有する円板体４４に精密球４３が納まる凹所４５を形成し、当該凹所４５を連通する連通孔４６を設けた第１の入水調整口４７と、前記陰極槽３４に連通する連通孔４８を設けた円筒中空体からなる第２の入水調整口４９とを備え、前記第２の入水調整口４９の一端に前記第１の入水調整口４７を嵌合してなるものである。また、第１の入水調整口４７の他端には、電極部３の一端が嵌合するようになっている。
【００１１】
また、電極部３の上部には、図１に示すように、キャップ９が回転可能に設けられている。
上述した制御部５の操作面５０には、図１に示すように、電解レベル設定及び電解スタートスイッチ５１と、電解スタートランプ５２と、電解レベル（強、標準、弱）を示す指示ランプ５３，５４，５５とが設けられている。
なお、制御部５は、電源用接続コード７１により直流電源７に接続されるようになっている。この電源用接続コード７１の先端にはプラグ７２が設けられており、当該プラグ７２が電極部３の操作面５０の面と反対側の面に設けられたジャックに挿入されることにより電力の供給を受けられるようになっている。
【００１２】
図５は本発明の第１の実施の形態に係る空ボトル用電解水生成装置の制御部を示すブロック図である。
この図５において、上述した制御部５は、直流電源７からの直流電力を取り込み前記両電極部（電極（陽極）３５と電極（陰極）３６）へ流す電流量と通電時間を調整できるようになっており、次のように構成されている。
ジャック５６の一端子はアース電極に、ジャック５６の他端はヒューズＦを介して５Ｖ定電源５７の入力端子と、定電流電源５８の入力端子とにそれぞれ接続されている。
【００１３】
定電流電源５８は、直流電力を受けて一定電流を流す制御回路５８ａと、制御回路５８ａの出力と出力端子との間に接続された抵抗Ｒ１とを備え、抵抗Ｒ１の出力端子側から検出した信号を制御回路５８ａに入力できるようになっている。定電流電源５８の出力端子は、ＦＦリレーＲＬ１の共通接点ｒ１ｃに接続されている。
ＦＦリレーＲＬ１のａ接点ｒ１ａは、電極（陽極）３５とＦＦリレーＲＬ２のｂ接点ｒ２ｂとにそれぞれ接続されている。また、ＦＦリレーＲＬ１のｂ接点ｒ１ｂは、電極（陰極）３６とＦＦリレーＲＬ２のａ接点ｒ２ａとにそれぞれ接続されている。ＦＦリレーＲＬ２の共通接点ｒ２ｃは、アース電極に接続されている。
【００１４】
ＦＦリレーＲＬ１の励磁コイルＲＣ１は、一端子を処理装置６０の制御出力端子Ｐ１に、他端子をアース電極に接続されており、処理装置６０により通電制御されるようになっている。
ＦＦリレーＲＬ２の励磁コイルＲＣ２は、一端子を処理装置６０の制御出力端子Ｐ２に、他端子をアース電極に接続されており、処理装置６０により通電制御されるようになっている。
５Ｖ定電源５７の出力端子は、処理装置６０の電源入力端子Ｂに接続されている。５Ｖ定電源５７の入力端子とアース電極の間にはコンデンサＣ１が、同出力端子とアース電極の間にはコンデンサＣ２が接続されている。
前記処理装置６０の発信クロック用端子Ｘ１，Ｘ２には、発振回路５９が接続されている。この発振回路５９は、コンデンサＣ３，Ｃ４を介してアース電極に接続されている。
【００１５】
前記処理装置６０の入力端子Ｊ１とアース電極との間には、電解レベル設定及び電解スタートスイッチ５１が接続されており、この電解レベル設定及び電解スタートスイッチ５１により電解スタートや電解レベルの設定を処理装置６０に指示できるようになっている。
前記処理装置６０の入力端子Ｊ２とアース電極との間には、傾斜スイッチ６１が接続されており、この傾斜スイッチ６１により空ボトル用電解水生成装置１が倒れたことを検出し、当該検出結果を処理装置６０に通知できるようになっている。
【００１６】
前記処理装置６０の入力端子Ｊ３とアース電極との間には、洗浄スイッチ６２が接続されており、この洗浄スイッチ６２により空ボトル用電解水生成装置１の電極部３が汚れを検出し、検出結果を処理装置６０に通知できるようになっている。これが検出されると、処理装置６０は、制御出力端子Ｐ１，Ｐ２に電力を与えてリレー接点をｂ接点側に切り替えることにより、プラス電圧を電極（陰極）３６に、マイナス電圧を電極（陽極）３５に、それぞれ与えて洗浄をおこなうことができるようになっている。
【００１７】
前記処理装置６０の入力端子Ｊ４とアース電極との間には、温度サーモ６３が接続されており、この温度サーモ６３により空ボトル用電解水生成装置１の制御部５が加熱したことを検出し、検出結果を処理装置６０に通知できるようになっている。
処理装置６０の出力端子Ｐ３とアース電極との間には、ブザーＢＺが接続されており、傾斜スイッチ６１、洗浄スイッチ６２あるいは温度サーモ６３からの検出信号が処理装置６０に入力されるとブザーＢＺに電圧を供給し、ブザーＢＺを鳴動させられるようになっている。
【００１８】
処理装置６０の出力端子Ｐ４とアース電極との間には、抵抗Ｒ２と、図示の極性に接続された発光ダイオードからなる発行電解スタートランプ５２との直列回路が接続されている。また、処理装置６０の出力端子Ｐ５とアース電極との間には、抵抗Ｒ３と、図示の極性に接続された発光ダイオードからなる指示ランプ５３との直列回路が接続されている。また、処理装置６０の出力端子Ｐ６とアース電極との間には、抵抗Ｒ５と、図示の極性に接続された発光ダイオードからなる指示ランプ５５との直列回路が接続されている。
【００１９】
なお、上述した直流電源７は、商用電源から所定の電圧の直流を得ることができるＡＣ／ＤＣコンバータ７ａか、あるいは、所定の電圧のバッテリ７ｂかを使用することが可能であり、これら電源出力に電源用接続コード７１を介してプラグ７２を接続することにより、直流電力を供給できるようになっている。
このような空ボトル用電解水生成装置の使用の仕方を図１ないし図５を基に図６を参照して説明する。
【００２０】
図６は本発明の実施の形態に係る空ボトル用電解水生成装置の使用の仕方を説明するための図であり、図６（１）は空ボトル用電解水生成装置の電極部をペットボトルに挿入する前の状態を示す斜視図、図６（２）は同電極部をペットボトルに挿入した後の状態を示す斜視図である。図７は本発明の実施の形態に係る空ボトル用電解水生成装置を使用している際の逆止弁の動作を説明するための図であり、図７（１）はペットボトル１１に電極部３を差し込んだときの逆止弁の動きを示す断面図であり、図７（２）はペットボトル１１から電極部３を取り出すときの動作を示す断面図である。
まず、例えば５００［ｍリットル］の容量を持った空のペットボトル１１に
所定量の水道水を入れる。
図示しない計量スプーンにより所定量の食塩を計量し、当該食塩をペットボトル１１に入れた後、よくシェークして食塩を水によく溶解させる。
【００２１】
図６（１）に示すように、空ボトル用電解水生成装置１の電極部３をペットボトル１１の口に差し込む。前記電極部３をペットボトル１１の口から差し込み完了した後、前記電極部３の上にあるキャップ９を、ペットボトル１１の口に締めて、図６（２）のような状態にする。
前記電極部３をペットボトル１１の内部に差し込むと、図７（１）に示すように、電極部３の底部側に設けてある逆止弁３７の第１の入水調整口４７の凹所４５にあった精密球４３が水圧で浮上し、図７（１）の矢印ｊに示すように水が陰極槽３４の内部に流れ込む。
【００２２】
所定量の水が陰極槽３４に流れ込むと、図７（２）に示すように、精密球４３は、逆止弁３７の第１の入水調整口４７の凹所４５に移動して凹所４５にはまり込み、図７（２）の矢印ｋに示すように陰極槽３４からペットボトル１１側への水の流れを阻止する。
ここで、直流電源７のＡＣ／ＤＣコンバータ７ａを商用電源のコンセントに差し込む。もちろん、プラグ７２は、制御部５のジャック５６に差し込まれているので、ＡＣ／ＤＣコンバータ７ａから電源用接続コード７１を介して制御部５に直流電力が供給される。
【００２３】
制御部５は、直流電力が供給されると、以前電解したときに選択していた電解レベルの指示ランプ５３（強）、指示ランプ５４（標準）または指示ランプ５５（弱）が点灯する。
ここで、制御部５の操作面５０の電解レベル設定及び電解スタートスイッチ５１を操作し、電解レベル（強、標準、弱）を選択する。電解レベル設定及び電解スタートスイッチ５１を操作することにより電解レベルが選択されると、処理装置６０は、当該電解レベルの制御出力端子Ｐ１、Ｐ２またはＰ３を介して指示ランプ５３、指示ランプ５４または指示ランプ５５に電力を供給し、指示ランプ５３、指示ランプ５４または指示ランプ５５を点灯させる。
【００２４】
そして、電解レベル設定及び電解スタートスイッチ５１を例えば３秒間押し続けると、処理装置６０は、これを検出して制御出力端子Ｐ４に電力を与えて電解スタートランプ５２を点灯させるとともに、制御出力端子Ｐ３に電力を所定時間与えてブザーＢＺを所定時間鳴動させて電解開始を知らせる。
ここで、処理装置６０は、上記設定された電解レベルに応じた、電解時間を設定されたプログラムタイマーをスタートさせる。処理装置６０は、当該プログラムタイマーが電解時間に達したときに、制御出力端子Ｐ４への電力の供給を停止し電解スタートランプ５２を消灯させるとともに、制御出力端子Ｐ３に所定時間だけ電力を供給してブザーＢＺを所定時間鳴動させることにより、電解が完了したことを通知する。
【００２５】
空ボトル用電解水生成装置１の電極部３の上部にあるキャップ９をペットボトル１１の口から外し、空ボトル用電解水生成装置１の制御部５を握り、電極部３をペットボトル１１から引き抜く。このとき、図７（２）に示すように、逆止弁３７の第１の入水調整口４７の凹所４５に上記精密球４３が密着し、図７（２）の矢印ｋで示すように陰極槽３４の内部にある電解水は外部に漏れだすことがない。
【００２６】
ここで、陰極槽３４の内部の電解水を捨てる場合には、空ボトル用電解水生成装置１の電極部３を例えば６０度以上の角度に傾けると、第１の入水調整口４７の凹所４５に密着していた精密球４３が、凹所４５から離れることになり、陰極槽３４の内部の電解水が外部に排水される。
【００２７】
このような第１の実施の形態によれば、ペットボトル１１の内部に電解酸性水が生成されるので、次のような利点がある。
（１）除菌効果、消臭効果、アストリンゼン効果のある電解酸性水を手軽に得ることができる。
（２）ペットボトル１１を電解酸性水用槽として使用できるので、ペットボトル１１のリユース（再利用）が可能で大幅なコスト低減ができる。また、ペットボトル１１が保存容器になるため、従来のように、電解槽から電解水を移し替える必要がなくなる。
（３）可搬型に空ボトル用電解水生成装置１を構成したので、どこでも手軽に電解水を手に入れることができる。
（４）空ボトル用電解水生成装置１を小型化したので、安価に提供できる。
（５）制御部により電解状態を制御できるので、簡単な操作で電解水を得ることができる。
（６）直流電源７はバッテリ７ｂを使用することができるので、後はペットボトル状の容器と水さえあれば、いつでも、どこでも電解酸性水を作ることができる。
【００２８】
また、電解アルカリ性水を作る場合は、空ボトルに水道水を入れた後、食塩、乳酸カルシム、硫酸カルシム、グリセロリン酸カルシウム等の電離性物質をボトルに入れ、よく溶解させた後、電極３５及び電極３６に印加する電圧を逆にすることにより、電極３５を陰極に、電極３６を陽極にして、電解することで、ボトル内に洗浄用のｐＨ値の高い（１０〜１２．８程度）洗浄用アルカリ性水又は飲用に適するｐＨ８〜ｐＨ１０程度のアルカリ性水を得ることができる。水道水の電気伝導度が高い場合には、空ボトルに電離性物質を添加しなくとも、水道水のみを入れて電解しても、飲用に適する程度のｐＨ値のアルカリ性水を得ることができる。
【００２９】
上記第１の実施の形態では、電極部３と制御部５とを一体的に構成した例で説明したが、電極部３と制御部５とを別体で構成してもよい。
（第２の実施の形態）
図８及び図９は本発明の第２の実施の形態に係る空ボトル用電解水生成装置の電極部を説明するための図である。ここに、図８は本発明の第２の実施の形態に係る空ボトル用電解水生成装置の電極部を示す正面図である。図９は本発明の第２の実施の形態に係る空ボトル用電解水生成装置の電極部であって、図８のＡ−Ａ線断面図である。
【００３０】
本発明の第２の実施の形態において、前記電極部３Ａは、図７及び図８に示すように、中空棒状体３１の内部を二つの隔膜３２ａ，３２ｂを所定間隔に配置することにより仕切って三つの槽（陰極槽３４、電解室槽２０、陽極槽３３）を形成し、前記中央の槽を電解室槽２０とし、他の二つの槽（陽極槽３３、陰極槽３４）に電極（陽極）３５、電極（陰極）３６をそれぞれ配置したことを特徴とするものである。
【００３１】
また、電極（陰極）３６と隔膜３２ａの間には、スペーサー４１ａを配置することにより一定の間隔が設けられるようにしている。隔膜３２ａと隔膜３２ｂの間には、スペーサー４１ｂを配置することにより一定の間隔が設けられるようにしている。隔膜３２ｂと電極（陽極）３５との間には、スペーサー４１ｃを配置することにより一定の間隔が設けられるようにしている。
さらに、この第２の実施の形態において、制御部５、直流電源７、キャップ９については、第１の実施の形態と全く同様のものを使用する。
この第２の実施の形態によっても、第１の実施の形態と同様な作用効果を奏する。
【００３２】
（第３の実施の形態）
図１０ないし図１２は本発明の第３の実施の形態に係る空ボトル用電解水生成装置の電極部を説明するための図である。ここに、図１０は本発明の第３の実施の形態に係る空ボトル用電解水生成装置の電極部を示す正面図である。図１１は本発明の第３の実施の形態に係る空ボトル用電解水生成装置の電極部であって、図１０のＡ−Ａ線断面図である。図１２は本発明の第３の実施の形態に係る空ボトル用電解水生成装置の電極部であって、図１０のＢ−Ｂ線断面図である。
【００３３】
本発明の第３の実施の形態において、前記電極部３Ｂは、図１０ないし図１２に示すように、半径が異なる二つの導電性中空円筒１３ａ，１３ｂを、上部電極抑え１７ａと下部電極抑えである逆止弁３７ａの第２の入水調整口４９ａとにより同心状に配置し、内側の中空円柱１３ａと外側の中空円筒１３ｂの間に中空円筒状の隔膜３２ｃを、上部電極抑え１７ａと下部電極抑えである逆止弁３７ａの第２の入水調整口４９ａとで同心状に配置することにより、隔壁内外に二つの槽（陽極槽３３，陰極槽３４）を形成し、内側の槽（陰極槽３４）の底部側に槽側への流れを可能とする逆止弁３７を設け、かつ、外側中空円筒１３ｂに外部と連通する多数の孔１５，１５，…を設けてなることを特徴とする。
【００３４】
また、電極（陰極）３６として作用する導電性中空円筒１３ａと隔膜３２ｃとの間には、スペーサー４１ｃを配置することにより一定の間隔が設けられるようにしている。隔膜３２ｃと電極（陽極）３５として作用する導電性中空円筒１３ｂとの間には、スペーサー４１ｄを配置することにより一定の間隔が設けられるようにしている。
さらに、この第３の実施の形態において、制御部５、直流電源７、キャップ９については、第１の実施の形態と全く同様のものを使用する。
この第３の実施の形態によっても、第１の実施の形態と同様な作用効果を奏する。
【００３５】
（第４の実施の形態）
図１３ないし図１５は本発明の第４の実施の形態に係る空ボトル用電解水生成装置を説明するための図である。ここに、図１３は本発明の第４の実施の形態に係る空ボトル用電解水生成装置の電極部を示す正面図である。図１４は本発明の第４の実施の形態に係る空ボトル用電解水生成装置の電極部であって、図１３のＡ−Ａ線断面図である。図１５は本発明の第４の実施の形態に係る空ボトル用電解水生成装置の電極部であって、図１３のＢ−Ｂ線断面図である。
【００３６】
本発明の第４の実施の形態において、前記電極部３Ｃは、図１３ないし図１５に示すように、半径が異なる二つの導電性中空円筒１３ａ，１３ｂを、上部電極抑え１７ａと下部電極抑えとしての逆止弁３７ｂの第２の入水調整口４９ｂとにより同心状に配置し、内側の中空円柱１３ａと外側の中空円筒１３ｂの間に所定の間隔を有する二つの中空円筒状の隔膜３２ｄ，３２ｅを、上部電極抑え１７ａと下部電極抑えとしての逆止弁３７ｂの第２の入水調整口４９ｂとで同心状に配置することにより、隔壁３２ｄ内側と隔壁３２ｅの外側とに二つの槽（内側に補陰極槽３４、外側に陽極槽３３）を形成するとともに、二つの隔壁３２ｄ，３２ｅに囲まれた電解室槽２０ａを形成し、電極部３の底部側に陰極槽３４側への流れを可能とする逆止弁を設け、かつ、外側中空円筒１３ｂに外部と連通する多数の孔１５，１５，…を設けてなることを特徴とする。
【００３７】
また、電極（陰極）３６として作用する導電性中空円筒１３ａと隔膜３２ｄとの間には、スペーサー４１ｅを配置することにより一定の間隔が設けられるようにしている。隔膜３２ｄと隔膜３２ｅとの間には、スペーサー４１ｆを配置することにより一定の間隔が設けられるようにしている。隔膜３２ｅと電極（陽極）３５として作用する導電性中空円筒１３ｂとの間には、スペーサー４１ｇを配置することにより一定の間隔が設けられるようにしている。
さらに、この第４の実施の形態において、制御部５、直流電源７、キャップ９については、第１の実施の形態と全く同様のものを使用する。
この第４の実施の形態によっても、第１の実施の形態と同様な作用効果を奏する。
【００３８】
（第５の実施の形態）
図１６および図１７は本発明の第５の実施の形態に係る空ボトル用電解水生成装置を説明するための図である。ここに、図１６は本発明の第５の実施の形態に係る空ボトル用電解水生成装置の電極部を示す正面図である。図１７は本発明の第５の実施の形態に係る空ボトル用電解水生成装置の電極部であって、図１６のＡ−Ａ線断面図である。
【００３９】
本発明の第５の実施の形態において、前記電極部３Ｄは、図１３ないし図１５に示すように、中空棒状体３１ｄの内部を隔膜３２ｄで仕切って二つの槽（陽極槽３３ｄ、陰極槽３４ｄ）を形成し、前記各槽（陽極槽３３ｄ、陰極槽３４ｄ）に電極（陽極３５ｄ、陰極３６ｄ）をそれぞれ配置してなり、前記中空棒状体３１ｄの側面上部又は上面に前記一方の槽（陰極槽３４ｄ）の内部に連通する孔４０ｄを設け、かつ、他方の槽（陽極槽３３ｄ）に外部と連通する長孔（スリット）３８ｄを設けてなる。なお、符号Ｐは（陽極）電極端子であり、Ｍは（陰極）電極端子である。
【００４０】
この第５の実施の形態は、第１の実施の形態のような逆止弁を設けておらず、中空棒状体３１ｄの下部に電極槽カバー１７ｄａを設けることにより陰極槽３４ｄが筒状入れ物体に構成されている点である。また、前記孔４０ｄは、電解質及び電解水の供給や取り出しを行なうのに使用するほか、電解時の水素ガス抜きにも使用される。なお、陽極槽３３の上部にも、図１７に示すように、塩素ガス抜き用孔３９ｄが設けられている。
【００４１】
陽極槽３３ｄの内部に配置される電極（陽極）３５ｄと、陰極槽３４ｄの内部に配置される電極（陰極）３６ｄとは、スペーサー４１ｄにより隔膜３２ｄに対して一定の間隔を持たせた状態に支持されている。
このような第５の実施の形態によれば、中空棒状体３１ｄの陰極槽３４ｄ（電解槽の一方）に、電離性物質又は電離性物質を溶解させて所定の電気伝導度に調整された溶液を入れ、ついで、第１の実施の形態と同様に、空ボトル等の容器に、原水を満たし、前記容器内に前記電極部３Ｄを投入し、所定の電流電圧を印加して、前記容器に、酸性性水を生成させることができる。なお、陽極３５にマイナス電位を、陰極３６にプラス電位を印加して同様のことを行えば、容器内にアルカリ性水を生成させることができる。なお、第５の実施の形態によれば、第１の実施の形態と同様の効果を奏する。
【００４２】
（第６の実施の形態）
本発明の第６の実施の形態は、基本的には、第５の実施の形態とまったく同様の構造をしており、第５の実施の形態と異なるところは陰極槽３４の内部において陰極３６ｄと隔膜３２ｄとの間に高分子ポリマー等の高分子化合物からなる溶液吸収体を配置した点に特徴がある。上述した第６の実施の形態によれば、第５の実施の形態と同様に動作し、第１の実施の形態と同様の作用効果を奏する。
【００４３】
（第７の実施の形態）
図１８ないし図２０は本発明の第７の実施の形態に係る空ボトル用電解水生成装置を説明するための図である。ここに、図１８は本発明の第７の実施の形態に係る空ボトル用電解水生成装置の電極部を示す正面図である。図１９は本発明の第７の実施の形態に係る空ボトル用電解水生成装置の電極部を示す側面図である。図２０は本発明の第７の実施の形態に係る空ボトル用電解水生成装置の電極部であって、図１８のＡ−Ａ線断面図である。
【００４４】
本発明の第７の実施の形態において、前記電極部３Ｅは、図１８ないし図２０に示すように、中空棒状体３１ｅの内部を二つの隔膜３２ｄａ，３２ｄｂを所定間隔で配置することによって仕切って三つの槽を形成し、前記中央の槽を電解質槽２０ｅとし、前記電解質槽２０ｅに連通する孔７０ｅを前記中空棒状体３１ｅの側面上部又は上面に設け、他の二つの槽（陽極槽３３ｅ、陰極槽３４ｅ）に電極（陽極３５ｅ、陰極３６ｅ）をそれぞれ配置してなり、前記中空棒状体３１ｅの側面上部又は上面に前記一方の槽（陰極槽３４ｅ）の内部に連通する孔４０ｅを設け、かつ、他方の槽（陽極３５ｅ）に外部と連通する長孔３８ｅを設けてなる。
【００４５】
また、電極（陰極）３６ｅと隔膜３２ｅａの間には、スペーサー４１ｅａを配置することにより一定の間隔が設けられるようにしている。隔膜３２ｅａと隔膜３２ｅｂの間には、スペーサー４１ｅｂを配置することにより一定の間隔が設けられるようにしている。隔膜３２ｅｂと電極（陽極）３５ｅとの間には、スペーサー４１ｅｃを配置することにより一定の間隔が設けられるようにしている。
上述した第７の実施の形態によれば、第５の実施の形態と同様に動作し、第１の実施の形態と同様の作用効果を奏する。
【００４６】
（第８の実施の形態）
本発明の第８の実施の形態は、基本的には、第７の実施の形態とまったく同様の構造をしており、第７の実施の形態と異なるところは電解質槽２０ｅの内部において隔膜３２ｅａと隔膜３２ｅｂとの間に高分子ポリマー等の高分子化合物からなる溶液吸収体を配置した点に特徴がある。上述した第８の実施の形態によれば、第５の実施の形態と同様に動作し、第１の実施の形態と同様の作用効果を奏する。
【００４７】
（第９の実施の形態）
図２１ないし図２３は本発明の第９の実施の形態に係る空ボトル用電解水生成装置を説明するための図である。ここに、図２１は本発明の第９の実施の形態に係る空ボトル用電解水生成装置の電極部を示す正面図である。図２２は本発明の第９の実施の形態に係る空ボトル用電解水生成装置の電極部であって、図２１のＡ−Ａ線断面図である。図２３は本発明の第９の実施の形態に係る空ボトル用電解水生成装置の電極部の上部を拡大して示す断面図である。
【００４８】
本発明の第９の実施の形態において、前記電極部３Ｆは、図２１ないし図２３に示すように、半径が異なる二つの導電性中空円筒１３ｆａ，１３ｆｂを、上部電極抑１７ｆａと下部電極抑１７ｆｂとにより同心状に配置し、内側の中空円柱１３ｆａと外側の中空円筒１３ｆｂの間に中空円筒状の隔膜３２ｆを、上部電極抑１７ｆａと下部電極抑１７ｆｂとで同心状に配置することにより、隔壁内外に二つの槽（陽極槽３３ｆ，陰極槽３４ｆ）を形成し、内側の槽（陰極槽３４ｆ）の側面上側または上部電極抑１７ｆａ部分に内側の槽（陰極槽３４ｆ）の内部に連通する孔３９ｆを設け、かつ、外側中空円筒１３ｆｂに外部と連通する多数の孔１５ｆ，１５ｆ，…を設けてなる。また、外側の槽（陽極槽３３ｆ）の側面上側または上部電極抑１７ｆａ部分に外側の槽（陽極槽３３ｆ）の内部に連通する孔４０ｆを設けている。なお、孔３９ｆはガス抜きと電解質などを投入し、あるいは取り出しに使用される。孔４０ｆはガス抜きに使用される。
【００４９】
また、電極（陰極）３６ｆとして作用する導電性中空円筒１３ｆａと隔膜３２ｆとの間には、スペーサー４１ｆａを配置することにより一定の間隔が設けられるようにしている。隔膜３２ｆと電極（陽極）３５ｆとして作用する導電性中空円筒１３ｆｂとの間には、スペーサー４１ｆｂを配置することにより一定の間隔が設けられるようにしている。
さらに、この第９の実施の形態において、制御部５、直流電源７、キャップ９については、第１の実施の形態と全く同様のものを使用する。
この第９の実施の形態によっても、第５の実施の形態と同様に動作し、第１の実施の形態と同様な作用効果を奏す
【００５０】
（第１０の実施の形態）
本発明の第１０の実施の形態は、基本的には、第９の実施の形態とまったく同様の構造をしており、第９の実施の形態と異なるところは陰極槽３４ｆの内部において陰極３６ｆと隔膜３２ｆとの間に高分子ポリマー等の高分子化合物からなる溶液吸収体を配置した点に特徴がある。上述した第１０の実施の形態によれば、第５の実施の形態と同様に動作し、第１の実施の形態と同様の作用効果を奏する。
【００５１】
（第１１の実施の形態）
図２４ないし図２９は本発明の第１１の実施の形態に係る空ボトル用電解水生成装置を説明するための図である。ここに、図２４は本発明の第１１の実施の形態に係る空ボトル用電解水生成装置の電極部を示す正面図である。図２５は本発明の第１１の実施の形態に係る空ボトル用電解水生成装置の電極部であって、図２４のＡ−Ａ線断面図である。図２６は本発明の第１１の実施の形態に係る空ボトル用電解水生成装置の電極部の上部を拡大して示す平面図である。図２７は本発明の第１１の実施の形態に係る空ボトル用電解水生成装置の電極部の上部を拡大して示す断面図であり、図２６のＡ−Ａ線に沿って示す断面図である。図２８は本発明の第１１の実施の形態に係る空ボトル用電解水生成装置の電極部の上部を拡大して示す断面図であり、図２６のＢ−Ｂ線に沿って示す断面図である。図２９は本発明の第１１の実施の形態に係る空ボトル用電解水生成装置の電極部の上部を拡大して示す断面図であり、図２６のＣ−Ｃ線に沿って示す断面図である。
【００５２】
本発明の第１１の実施の形態において、前記電極部３Ｇは、図２４ないし図２９に示すように、半径が異なる二つの導電性中空円筒１３ｇａ，１３ｇｂを、上部電極抑１７ｇａと下部電極抑１７ｇｂとにより同心状に配置し、内側の中空円柱１３ｇａと外側の中空円筒１３ｇｂの間に所定の間隔を有する二つの中空円筒状の隔膜３２ｇａ，３２ｇｂを、上部電極抑１７ｇａと下部電極抑１７ｇｂとで同心状に配置することにより、隔壁３２ｇａ内側と隔壁３２ｇｂの外側とに二つの槽（内側に陰極槽３４ｇ、外側に陽極槽３３ｇ）を形成するとともに、二つの隔壁３２ｇａ，３２ｇｂに囲まれた電解室槽２０ｇを形成し、かつ、外側中空円筒１３ｇｂに外部と連通する多数の孔１５ｇ，１５ｇ，…を設け、かつ、陽極槽３３ｇの上部に陽極槽３３ｇの内部に連通する孔４０ｇを、陰極槽３４ｇの上部に陰極槽３４ｇの内部に連通する孔３９ｇを、電解室槽２０ｇの上部に電解室槽２０ｇの内部に連通する孔８１ｇを設けて構成されている。なお、前記孔３９ｇおよび４０ｇはエアー抜き用として使用され、前記孔８１ｇは電解溶液の投入・取り出し口として使用される。
【００５３】
また、電極（陰極）３６ｇとして作用する導電性中空円筒１３ｇａと隔膜３２ｇａとの間には、スペーサー４１ｇａを配置することにより一定の間隔が設けられるようにしている。隔膜３２ｇａと隔膜３２ｇｂとの間には、スペーサー４１ｇｂを配置することにより一定の間隔が設けられるようにしている。隔膜３２ｇｂと電極（陽極）３５ｇとして作用する導電性中空円筒１３ｇｂとの間には、スペーサー４１ｇｃを配置することにより一定の間隔が設けられるようにしている。
【００５４】
さらに、この第１１の実施の形態において、制御部５、直流電源７、キャップ９については、第１の実施の形態と全く同様のものを使用する。
この第１１の実施の形態によっても、第５の実施の形態と同様に動作し、第１の実施の形態と同様な作用効果を奏する。
【００５５】
（第１２の実施の形態）
本発明の第１２の実施の形態は、基本的には、第１１の実施の形態とまったく同様の構造をしており、第１１の実施の形態と異なるところは電解室槽２０ｇの内部において隔膜３２ｇａと隔膜３２ｇｂとの間に高分子ポリマー等の高分子化合物からなる溶液吸収体を配置した点に特徴がある。上述した第１２の実施の形態によれば、第５の実施の形態と同様に動作し、第１の実施の形態と同様の作用効果を奏する。
なお、上記各実施の形態において、ペットボトル１１は、空であっても、あるいは、最初から水が入っていても、ペットボトル１１を使用すれば本発明の範囲に入る。また、ペットボトル１１は、図示した形状に限らず、深めの容器であって空ボトル用電解水生成装置１が垂直に近い状態（６０度以上傾けない状態）に保てれものであれば、どのような形状のものであってもよい。
【００５６】
【実施例】
（実施例１）
この空ボトル用電解水生成装置１で生成される電解水の特性は、ペットボトル１１の容積が５００［ミリリットル（ｍｌ）］とし、処理装置６０によるプログラムタイマーの設定が、強選択時には２５［分］、標準選択時で１５［分］、弱選択時８［分］であるとすると、表１に示すようになる。
【００５７】
【表１】
0004922508.tif 000002
【００５８】
このようにして作成された上記電解酸性水は、皮膚の除菌・感染予防、口の除菌洗浄、食器等の除菌に適用できる。
【００５９】
（実施例２）
容器サイズを５００［ｍｌ］で、電気伝導度は約１５００［μＳ／ｃｍ］とし、陰極室と陽極室との容量比を１：３４とし、電極材質をチタンベースの白金イリジュムとし、定電流設定値を０．６２５［Ａ］にし、電解時間を１０［分］、２０［分］、３０［分］間での生成水のｐＨ、有効塩素濃度および酸化還元電位を測定した。
その結果は表２にあるように、１０分ではｐＨ２．９５、有効塩素濃度２３．０［ｐｐｍ］、酸化還元電位１１１０［ｍｖ］であり、２０［分］ではｐＨ２．６５、有効塩素濃度２８．４［ｐｐｍ］、酸化還元電位１１３０［ｍｖ］であり、３０［分］ではｐＨ２．５３、有効塩素濃度４６．１［ｐｐｍ］、酸化還元電位１１６４［ｍｖ］であった。
【００６０】
【表２】
0004922508.tif 000003
【００６１】
（実施例３）
容器サイズを５００［ｍｌ］で、電気伝導度は約１５００［μＳ／ｃｍ］とし、陰極室と陽極室との容量比を１：３４とし、電極材質をチタンベースの白金とし、定電流設定値を０．６２５［Ａ］にし、電解時間を１０［分］、２０［分］、３０［分］間での生成水のｐＨ、有効塩素濃度および酸化還元電位を測定した。
その結果は表３にあるように、１０［分］ではｐＨ２．９５、有効塩素濃度１０．６［ｐｐｍ］、酸化還元電位１０６５［ｍｖ］であり、２０［分］ではｐＨ２．６０、有効塩素濃度１７．７［ｐｐｍ］、酸化還元電位１１１４ｍｖであり、３０［分］ではｐＨ２．４４、有効塩素濃度２８．４［ｐｐｍ］、酸化還元電位１１３１［ｍｖ］であった。
【００６２】
【表３】
0004922508.tif 000004
【００６３】
（実施例４）
容器サイズを２９０［ｍｌ］で、電気伝導度を約１０００［μＳ／ｃｍ］、１５００［μＳ／ｃｍ］，２０００［μＳ／ｃｍ］と変え、陰極室と陽極室との容量比を１：２３とし、電極材質をチタンベースの白金イリジュムとし、電解電圧をＤＣ１２［Ｖ］で、電解時間を１５［分］、１０［分］、５［分］間での生成水のｐＨ、有効塩素濃度および酸化還元電位を測定した。
【００６４】
この場合は電解容量が少ないために、電解時間を５［分］、１０［分］、１５［分］として電解室溶液の電解伝導度を１０００［μＳ／ｃｍ］、１５００［μＳ／ｃｍ］、２０００［μＳ／ｃｍ］と変えて実施した結果、生成水の規格を満たすのは電解伝導度２０００［μＳ／ｃｍ］であった。
その測定結果は、表４に示すとおりであり、以下にその内容を説明する。
【００６５】
（１）電気伝導度を約１０００［μＳ／ｃｍ］にした場合、１５［分］ではｐＨ２．９４、有効塩素濃度１７．７［ｐｐｍ］、酸化還元電位１０２１［ｍｖ］であり、１０［分］ではｐＨ３．１６、有効塩素濃度１０．７［ｐｐｍ］、酸化還元電位９２６［ｍｖ］であり、かつ、５［分］ではｐＨ３．７６、有効塩素濃度５．３［ｐｐｍ］、酸化還元電位８５２［ｍｖ］であった。
（２）電気伝導度を約１５００［μＳ／ｃｍ］にした場合、１５［分］ではｐＨ２．７３、有効塩素濃度２４．８［ｐｐｍ］、酸化還元電位１１１５［ｍｖ］であり、１０［分］ではｐＨ２．８６、有効塩素濃度１７．７［ｐｐｍ］、酸化還元電位１０５８［ｍｖ］であり、５［分］ではｐＨ３．２９、有効塩素濃度１０．６［ｐｐｍ］、酸化還元電位９９８［ｍｖ］であった。
（３）電気伝導度を約２０００［μＳ／ｃｍ］にした場合、１５［分］ではｐＨ２．５７、有効塩素濃度３９．０［ｐｐｍ］、酸化還元電位１１２８［ｍｖ］であり、１０［分］ではｐＨ２．７５、有効塩素濃度２６．６［ｐｐｍ］、酸化還元電位１１１０［ｍｖ］であり、５［分］ではｐＨ３．０９、有効塩素濃度１２．４［ｐｐｍ］、酸化還元電位１０３２［ｍｖ］であった。
【００６６】
【表４】
0004922508.tif 000005
【００６７】
【発明の効果】
以上説明したように、本発明に係る空ボトル用電解水生成装置によれば、中空棒状体の内部を隔膜で仕切って少なくとも二つの槽を形成し、前記各槽に電極をそれぞれ配置してなり、一方の槽の底部側に槽側への流れを可能とする逆止弁を設け、かつ、他方の槽の側面に外部と連通する孔を設けてなる電極部と、直流電源からの電力を取り込み前記両電極部へ流す電流量を調整できる制御部とからなるので、次のような効果がある。
【００６８】
（１）除菌効果、消臭効果、アストリンゼン効果のある電解酸性水を手軽に得ることができる。
（２）ペットボトルを電解酸性水用槽として使用できるので、ペットボトルのリユース（再利用）が可能で大幅なコスト低減ができる。また、ペットボトルが保存容器になるため、従来のように、電解槽から電解水を移し替える必要がなくなる。
（３）可搬型に空ボトル用電解水生成装置を構成したので、どこでも手軽に電解水を手に入れることができる。
（４）空ボトル用電解水生成装置を小型化したので、安価に提供できる。
（５）制御部により電解状態を制御できるので、簡単な操作で電解水を得ることができる。
【図面の簡単な説明】
【図１】本発明の第１の実施の形態に係る空ボトル用電解水生成装置の全体構成を示す斜視図である。
【図２】本発明の第１の実施の形態に係る空ボトル用電解水生成装置の電極部を示す正面図である。
【図３】本発明の第１の実施の形態に係る空ボトル用電解水生成装置の電極部であって、図２のＡ−Ａ線断面図である。
【図４】本発明の第１の実施の形態に係る空ボトル用電解水生成装置の電極部を示す分解斜視図である。
【図５】本発明の第１の実施の形態に係る空ボトル用電解水生成装置の制御部を示すブロック図である。
【図６】本発明の実施の形態に係る空ボトル用電解水生成装置の使用の仕方を説明するための図であり、図６（１）は空ボトル用電解水生成装置の電極部をペットボトルに挿入する前の状態を示す斜視図、図６（２）は同電極部をペットボトルに挿入した後の状態を示す斜視図である。
【図７】本発明の実施の形態に係る空ボトル用電解水生成装置を使用している際の逆止弁の動作を説明するための図であり、図７（１）はペットボトル１１に電極部３を差し込んだときの逆止弁の動きを示す断面図であり、図７（２）はペットボトル１１から電極部３を取り出すときの動作を示す断面図である。
【図８】本発明の第２の実施の形態に係る空ボトル用電解水生成装置の電極部を示す正面図である。
【図９】本発明の第２の実施の形態に係る空ボトル用電解水生成装置の電極部であって、図７のＡ−Ａ線断面図である。
【図１０】本発明の第３の実施の形態に係る空ボトル用電解水生成装置の電極部を示す正面図である。
【図１１】本発明の第３の実施の形態に係る空ボトル用電解水生成装置の電極部であって、図９のＡ−Ａ線断面図である。
【図１２】本発明の第３の実施の形態に係る空ボトル用電解水生成装置の電極部であって、図９のＢ−Ｂ線断面図である。
【図１３】本発明の第４の実施の形態に係る空ボトル用電解水生成装置の電極部を示す正面図である。
【図１４】本発明の第４の実施の形態に係る空ボトル用電解水生成装置の電極部であって、図１２のＡ−Ａ線断面図である。
【図１５】本発明の第４の実施の形態に係る空ボトル用電解水生成装置の電極部であって、図１２のＢ−Ｂ線断面図である。
【図１６】本発明の第５の実施の形態に係る空ボトル用電解水生成装置の電極部を示す正面図である。
【図１７】本発明の第５の実施の形態に係る空ボトル用電解水生成装置の電極部であって、図１６のＡ−Ａ線断面図である。
【図１８】本発明の第７の実施の形態に係る空ボトル用電解水生成装置の電極部を示す正面図である。
【図１９】本発明の第７の実施の形態に係る空ボトル用電解水生成装置の電極部を示す側面図である。
【図２０】本発明の第７の実施の形態に係る空ボトル用電解水生成装置の電極部であって、図１８のＡ−Ａ線断面図である。
【図２１】本発明の第９の実施の形態に係る空ボトル用電解水生成装置の電極部を示す正面図である。
【図２２】本発明の第９の実施の形態に係る空ボトル用電解水生成装置の電極部であって、図２１のＡ−Ａ線断面図である。
【図２３】本発明の第９の実施の形態に係る空ボトル用電解水生成装置の電極部の上部を拡大して示す断面図である。
【図２４】本発明の第１１の実施の形態に係る空ボトル用電解水生成装置の電極部を示す正面図である。
【図２５】本発明の第１１の実施の形態に係る空ボトル用電解水生成装置の電極部であって、図２４のＡ−Ａ線断面図である。
【図２６】本発明の第１１の実施の形態に係る空ボトル用電解水生成装置の電極部の上部を拡大して示す平面図である。
【図２７】本発明の第１１の実施の形態に係る空ボトル用電解水生成装置の電極部の上部を拡大して示す断面図であり、図２６のＡ−Ａ線に沿って示す断面図である。
【図２８】本発明の第１１の実施の形態に係る空ボトル用電解水生成装置の電極部の上部を拡大して示す断面図であり、図２６のＢ−Ｂ線に沿って示す断面図である。
【図２９】本発明の第１１の実施の形態に係る空ボトル用電解水生成装置の電極部の上部を拡大して示す断面図であり、図２６のＣ−Ｃ線に沿って示す断面図である。
【符号の説明】
１  空ボトル用電解水生成装置
３，３Ａ，３Ｂ，３Ｃ，３Ｄ，３Ｅ，３Ｆ，３Ｇ  電極部
５  制御部
７  直流電源
９  キャップ
１１  ペットボトル
１３ａ，１３ｂ，１３ｆａ，１３ｆｂ，１３ｇａ，１３ｇｂ  中空円筒
１５，１５ｆ，１５ｇ  孔
１７ａ，１７ｂ，１７ｆａ，１７ｇａ  上部電極抑
２０  電解質槽
３１  中空棒状体
３２，３２ａ，３２ｂ，３２ｃ，３２ｄ，３２ｆａ，３２ｆｂ，３２ｇａ，３２ｇｂ  隔膜
３３，３３ｄ，３３ｅ，３３ｆ，３３ｇ  陽極槽
３４，３４ｄ，３４ｅ，３４ｆ，３３ｇ  陰極槽
３５，３５ｄ，３５ｅ，３５ｆ，３５ｇ  電極（陽極）
３６，３６ｄ，３６ｅ，３６ｆ，３６ｇ  電極（陰極）
３７，３７ａ，３７ｂ  逆止弁
３８，３８ｄ，３８ｅ，３８ｆ，３８ｇ  スリット（長孔）
３９，３９ｄ，３９ｅ，３９ｆ，３９ｇ 孔
４０，４０ｄ，４０ｅ，４０ｆ，４０ｇ  孔
４１，４１ａ，４１ｂ，４１ｃ，４１ｄ，４１ｅ，４１ｆ  スペーサー
４２  弁座部
４３  精密球
４４  円板体
４５  凹所
４６，４８  連通孔
４７  第１の入水調整口
４９，４９ａ，４９ｂ  第２の入水調整口
５０  操作面
５１  電解レベル設定及び電解スタートスイッチ
５２  電解スタートランプ
５３，５４，５５  指示ランプ
５７  ５Ｖ定電源
５８  定電流電源
５９  発振回路
６０  処理装置
【図１】
0004922508.tif 000006
【図２】
0004922508.tif 000007
【図３】
0004922508.tif 000008
【図４】
0004922508.tif 000009
【図５】
0004922508.tif 000010
【図６】
0004922508.tif 000011
【図７】
0004922508.tif 000012
【図８】
0004922508.tif 000013
【図９】
0004922508.tif 000014
【図１０】
0004922508.tif 000015
【図１１】
0004922508.tif 000016
【図１２】
0004922508.tif 000017
【図１３】
0004922508.tif 000018
【図１４】
0004922508.tif 000019
【図１５】
0004922508.tif 000020
【図１６】
0004922508.tif 000021
【図１７】
0004922508.tif 000022
【図１８】
0004922508.tif 000023
【図１９】
0004922508.tif 000024
【図２０】
0004922508.tif 000025
【図２１】
0004922508.tif 000026
【図２２】
0004922508.tif 000027
【図２３】
0004922508.tif 000028
【図２４】
0004922508.tif 000029
【図２５】
0004922508.tif 000030
【図２６】
0004922508.tif 000031
【図２７】
0004922508.tif 000032
【図２８】
0004922508.tif 000033
【図２９】
0004922508.tif 000034